【手続補正書】
【提出日】平成20年11月4日(2008.11.4)
【手続補正１】
【補正対象書類名】特許請求の範囲
【補正対象項目名】全文
【補正方法】変更
【補正の内容】
【特許請求の範囲】
【請求項１】
印刷装置で印刷すべき印刷データを生成するためのプリンタドライバを有する情報処理装置であって、
該情報処理装置に接続されたリムーバブルメディアから、印刷装置を特定する印刷装置特定情報を取得する取得手段と、
前記取得手段により取得された印刷装置特定情報により特定される印刷装置に適合するプリンタドライバを用いて、前記印刷装置で印刷すべき印刷データを生成する印刷データ生成手段と、
前記印刷データ生成手段により生成された印刷データを、前記リムーバブルメディアに記憶すべく制御する記憶制御手段とを有することを特徴とする情報処理装置。
【請求項２】
前記取得手段により取得された印刷装置特定情報により特定される印刷装置の能力及び状態に関わる印刷装置構成情報を、前記リムーバブルメディアから取得する第２取得手段と、
前記第２取得手段により取得された印刷装置構成情報に基づいて、ユーザが印刷設定を行うための印刷設定画面を表示装置に表示する表示制御手段とを有し、
前記印刷データ生成手段は、前記表示制御手段により表示された印刷設定画面を用いてユーザにより行われた印刷設定に従って印刷データを生成することを特徴とする請求項１に記載の情報処理装置。
【請求項３】
前記取得手段は、リムーバブルメディアから、前記印刷装置特定情報と、前記印刷装置構成情報の格納場所を示す構成情報格納情報とを含むファイルを取得し、
前記第２取得手段は、前記取得手段により取得されたファイルに含まれる構成情報格納情報を参照して、前記印刷装置構成情報を、前記リムーバブルメディアから取得することを特徴とする請求項２に記載の情報処理装置。
【請求項４】
前記取得手段によって、複数のリムーバブルメディアから、印刷装置を特定する印刷装置特定情報が取得されると、それら複数のリムーバブルメディアの何れかを、ユーザによる選択に従って決定する決定手段を有し、
前記印刷データ生成手段は、前記決定手段により決定されたリムーバルメディアから取得された印刷装置特定情報により特定される印刷装置に合わせて印刷データを生成することを特徴とする請求項１〜３の何れか１項に記載の情報処理装置。
【請求項５】
前記リムーバブルメディアが印刷用のストレージデバイスとして利用される場合は、前記取得手段は、前記ストレージデバイスの所定の第１記憶領域にある印刷装置特定情報を取得し、一方、前記リムーバブルメディアが前記プリンタドライバの出力先の印刷装置と認識されて利用される場合は、前記取得手段は、前記ストレージデバイスの所定の第２記憶領域にある印刷装置特定情報を取得することを特徴とする請求項１〜４の何れか１項に記載の情報処理装置。
【請求項６】
前記プリンタドライバの出力先の印刷装置と通信できず、前記リムーバブルメディアを印刷用のストレージデバイスとして利用する場合に、当該プリンタドライバから得られる印刷装置特定情報を作成し、前記ストレージデバイスの前記第１記憶領域に書き込む作成手段を更に有することを特徴とする請求項５に記載の情報処理装置。
【請求項７】
リムーバブルメディアから、印刷装置を特定する印刷装置特定情報を検索する検索手段と、
前記検索手段により検索された印刷装置特定情報により特定される印刷装置が自機と同一であるか判定する判定手段と、
前記判定手段により自機と同一であると判定された場合に、当該印刷装置を出力先とする印刷データに対するジョブの内容を示すジョブ情報を、前記リムーバブルメディアから取得する取得手段と、
前記取得手段により取得されたジョブ情報に対応する印刷データに基づいて印刷を行う印刷手段とを有することを特徴とする印刷装置。
【請求項８】
前記取得手段により取得されたジョブ情報を構成する情報の少なくとも１つを表示装置に一覧表示する表示手段を更に有し、
前記印刷手段は、前記リムーバブルメディアに記憶されている印刷データであって、前記表示手段により一覧表示されたジョブ情報の中からユーザにより選択されたジョブ情報に対応する印刷データに基づいて印刷を行うことを特徴とする請求項７に記載の印刷装置。
【請求項９】
前記検索手段により検索された印刷装置特定情報の中に、自身を特定する印刷装置特定情報があるか否かを判定する判定手段を有し、
前記取得手段は、前記検索手段により検索された印刷装置特定情報の中に、自身を特定する印刷装置特定情報がないと判定された場合に、前記ジョブ情報を前記リムーバブルメディアから取得し、
前記表示手段は、前記リムーバブルメディアに記憶されている印刷データの出力先が、他の印刷装置であることを表示装置に表示すると共に、前記取得手段により取得されたジョブ情報を構成する情報の少なくとも１つを表示装置に一覧表示することを特徴とする請求項８に記載の印刷装置。
【請求項１０】
前記ジョブ情報は、前記印刷データの出力先を示す出力先情報と、前記印刷データのジョブの名称を示すジョブ名情報と、その印刷データに対する印刷設定を示す印刷設定情報とを含み、
前記表示手段は、前記出力先情報と、前記ジョブ名情報とを表示装置に一覧表示すると共に、前記印刷設定情報により示される印刷設定が制限されていることを表示装置に表示することを特徴とする請求項９に記載の印刷装置。
【請求項１１】
前記印刷設定情報により示される印刷設定のうち、制限されている印刷設定を判定する第２の判定手段を有し、
前記表示手段は、前記第２の判定手段により制限されていると判定された印刷設定を表示装置に表示することを特徴とする請求項１０に記載の印刷装置。
【請求項１２】
ジョブ情報を受信するためにリムーバブルメディアと接続するための第１接続手段と、
リムーバブルメディアと接続するための第２接続手段と、
前記第２接続手段に前記リムーバブルメディアが接続された場合に、前記リムーバブルメディアを自機の印刷装置として外部装置に認識させるための環境情報を書き込む環境情報書込手段とを更に有することを特徴とする請求項７〜１１の何れか１項に記載の印刷装置。
【請求項１３】
情報を記憶する記憶領域を有するリムーバブルメディアとして機能する電子機器であって、
相互に接続された印刷装置を特定する印刷装置特定情報を生成する生成手段と、
前記生成手段により生成される印刷装置特定情報と、その印刷装置特定情報により特定される印刷装置を出力先とする印刷データとを含む情報を記憶する前記記憶領域に記憶する記憶制御手段と、
前記相互に接続された印刷装置を特定する印刷装置特定情報が、前記記憶領域に記憶されているか否かを判定する判定手段と、
前記判定手段により、前記相互に接続された印刷装置を特定する印刷装置特定情報が、前記記憶領域に記憶されていると判定されると、その相互に接続された印刷装置を出力先とする印刷データを、その印刷装置に送信する送信手段とを有することを特徴とする電子機器。
【請求項１４】
前記記憶制御手段は、前記送信手段により印刷データを送信した後、前記相互に接続された印刷装置の能力及び状態に関わる印刷装置構成情報を取得して前記記憶領域に記憶することを特徴とする請求項１３に記載の電子機器。
【請求項１５】
前記記憶制御手段は、前記判定手段により、前記記憶領域に、相互に接続された印刷装置を特定する印刷装置特定情報が記憶されていないと判定されると、その相互に接続された印刷装置の能力及び状態に関わる印刷装置構成情報を取得して前記記憶領域に記憶し、
前記生成手段は、前記記憶制御手段により前記印刷装置構成情報が前記記憶領域に記憶されてから、前記相互に接続された印刷装置を特定する印刷装置特定情報を生成することを特徴とする請求項１３又は１４に記載の電子機器。
【請求項１６】
印刷装置で印刷すべき印刷データを生成するためのプリンタドライバを備えた情報処理装置に接続されたリムーバブルメディアから、印刷装置を特定する印刷装置特定情報を取得する取得ステップと、
前記取得ステップにより取得された印刷装置特定情報により特定される印刷装置に適合するプリンタドライバを用いて、前記印刷装置で印刷すべき印刷データを生成する印刷データ生成ステップと、
前記印刷データ生成ステップにより生成された印刷データを、前記リムーバブルメディアに記憶すべく制御する記憶制御ステップとを有することを特徴とする印刷制御方法。
【請求項１７】
前記取得ステップにより取得された印刷装置特定情報により特定される印刷装置の能力及び状態に関わる印刷装置構成情報を、前記リムーバブルメディアから取得する第２取得ステップと、
前記第２取得ステップにより取得された印刷装置構成情報に基づいて、ユーザが印刷設定を行うための印刷設定画面を表示装置に表示する表示制御ステップとを有し、
前記印刷データ生成ステップは、前記表示制御ステップにより表示された印刷設定画面を用いてユーザにより行われた印刷設定に従って印刷データを生成することを特徴とする請求項１６に記載の印刷制御方法。
【請求項１８】
前記取得ステップは、リムーバブルメディアから、前記印刷装置特定情報と、前記印刷装置構成情報の格納場所を示す構成情報格納情報とを含むファイルを取得し、
前記第２取得ステップは、前記取得ステップにより取得されたファイルに含まれる構成情報格納情報を参照して、前記印刷装置構成情報を、前記リムーバブルメディアから取得することを特徴とする請求項１７に記載の印刷制御方法。
【請求項１９】
前記取得ステップによって、複数のリムーバブルメディアから、印刷装置を特定する印刷装置特定情報が取得されると、それら複数のリムーバブルメディアの何れかを、ユーザによる選択に従って決定する決定ステップを有し、
前記印刷データ生成ステップは、前記決定ステップにより決定されたリムーバルメディアから取得された印刷装置特定情報により特定される印刷装置に合わせて印刷データを生成することを特徴とする請求項１６〜１８の何れか１項に記載の印刷制御方法。
【請求項２０】
前記リムーバブルメディアが印刷用のストレージデバイスとして利用される場合は、前記取得ステップは、前記ストレージデバイスの所定の第１記憶領域にある印刷装置特定情報を取得し、一方、前記リムーバブルメディアが前記プリンタドライバの出力先の印刷装置と認識されて利用される場合は、前記取得ステップは、前記ストレージデバイスの所定の第２記憶領域にある印刷装置特定情報を取得することを特徴とする請求項１６〜１９の何れか１項に記載の印刷制御方法。
【請求項２１】
前記プリンタドライバの出力先の印刷装置と通信できず、前記リムーバブルメディアを印刷用のストレージデバイスとして利用する場合に、当該プリンタドライバから得られる印刷装置特定情報を作成し、前記ストレージデバイスの前記第１記憶領域に書き込む作成ステップを更に有することを特徴とする請求項２０に記載の印刷制御方法。
【請求項２２】
リムーバブルメディアから、印刷装置を特定する印刷装置特定情報を検索する検索ステップと、
前記検索ステップにより検索された印刷装置特定情報により特定される印刷装置が自機と同一であるか判定する判定ステップと、
前記判定ステップにより自機と同一であると判定された場合に、当該印刷装置を出力先とする印刷データに対するジョブの内容を示すジョブ情報を、前記リムーバブルメディアから取得する取得ステップと、
前記取得ステップにより取得されたジョブ情報に対応する印刷データに基づいて印刷を行う印刷ステップとを有することを特徴とする印刷制御方法。
【請求項２３】
前記取得ステップにより取得されたジョブ情報を構成する情報の少なくとも１つを表示装置に一覧表示する表示ステップを更に有し、
前記印刷ステップは、前記リムーバブルメディアに記憶されている印刷データであって、前記表示ステップにより一覧表示されたジョブ情報の中からユーザにより選択されたジョブ情報に対応する印刷データに基づいて印刷を行うことを特徴とする請求項２２に記載の印刷制御方法。
【請求項２４】
前記検索ステップにより検索された印刷装置特定情報の中に、自身を特定する印刷装置特定情報があるか否かを判定する判定ステップを有し、
前記取得ステップは、前記検索ステップにより検索された印刷装置特定情報の中に、自身を特定する印刷装置特定情報がないと判定された場合に、前記ジョブ情報を前記リムーバブルメディアから取得し、
前記表示ステップは、前記リムーバブルメディアに記憶されている印刷データの出力先が、他の印刷装置であることを表示装置に表示すると共に、前記取得ステップにより取得されたジョブ情報を構成する情報の少なくとも１つを表示装置に一覧表示することを特徴とする請求項２３に記載の印刷制御方法。
【請求項２５】
前記ジョブ情報は、前記印刷データの出力先を示す出力先情報と、前記印刷データのジョブの名称を示すジョブ名情報と、その印刷データに対する印刷設定を示す印刷設定情報とを含み、
前記表示ステップは、前記出力先情報と、前記ジョブ名情報とを表示装置に一覧表示すると共に、前記印刷設定情報により示される印刷設定が制限されていることを表示装置に表示することを特徴とする請求項２４に記載の印刷制御方法。
【請求項２６】
前記印刷設定情報により示される印刷設定のうち、制限されている印刷設定を判定する第２の判定ステップを有し、
前記表示ステップは、前記第２の判定ステップにより制限されていると判定された印刷設定を表示装置に表示することを特徴とする請求項２５に記載の印刷制御方法。
【請求項２７】
ジョブ情報を受信するためにリムーバブルメディアと印刷装置とを接続するための第１接続手段とは異なる接続手段であって、前記リムーバブルメディアと前記印刷装置とを相互に接続するための第２接続手段に前記リムーバブルメディアが接続された場合に、前記リムーバブルメディアを自機の印刷装置として外部装置に認識させるための環境情報を書き込む環境情報書込ステップとを更に有することを特徴とする請求項２２〜２６の何れか１項に記載の印刷制御方法。
【請求項２８】
情報を記憶する記憶領域を有するリムーバブルメディアとして機能する電子機器と相互に接続された印刷装置を特定する印刷装置特定情報を生成する生成ステップと、
前記生成ステップにより生成される印刷装置特定情報と、その印刷装置特定情報により特定される印刷装置を出力先とする印刷データとを含む情報を記憶する前記記憶領域に記憶する記憶制御ステップと、
前記相互に接続された印刷装置を特定する印刷装置特定情報が、前記記憶領域に記憶されているか否かを判定する判定ステップと、
前記判定ステップにより、前記相互に接続された印刷装置を特定する印刷装置特定情報が、前記記憶領域に記憶されていると判定されると、その相互に接続された印刷装置を出力先とする印刷データを、その印刷装置に送信する送信ステップとを有することを特徴とする印刷制御方法。
【請求項２９】
前記記憶制御ステップは、前記送信ステップにより印刷データを送信した後、前記相互に接続された印刷装置の能力及び状態に関わる印刷装置構成情報を取得して前記記憶領域に記憶することを特徴とする請求項２８に記載の印刷制御方法。
【請求項３０】
前記記憶制御ステップは、前記判定ステップにより、前記記憶領域に、相互に接続された印刷装置を特定する印刷装置特定情報が記憶されていないと判定されると、その相互に接続された印刷装置の能力及び状態に関わる印刷装置構成情報を取得して前記記憶領域に記憶し、
前記生成ステップは、前記記憶制御ステップにより前記印刷装置構成情報が前記記憶領域に記憶されてから、前記相互に接続された印刷装置を特定する印刷装置特定情報を生成することを特徴とする請求項２８又は２９に記載の印刷制御方法。
【請求項３１】
請求項１６〜３０の何れか１項に記載の印刷制御方法の各ステップをコンピュータに実行させることを特徴とするコンピュータプログラム。